(57)【要約】【課題】吸気／排気部におけるフィルタの交換および取り扱いを容易かつ簡単にする。【解決手段】装置本体１の筺体の外装カバー２に吸気口３を設け、該吸気口３の内部に吸込ファン４を設置する。吸気口３を両側に横長形状の空気流通開口５が複数設けられたカバー体６により覆う。このカバー体６を、外装カバー２に対して簡単に取り外し、および取り付けができるように着脱可能に保持する。前記カバー体６の空気流通開口５と吸気口３の吸込ファン４間のカバー体６内部に、空気フィルタ体（防塵フィルタ）７を介在させる。【選択図】図１
2006201345.tif 000002
【特許請求の範囲】
【請求項１】
装置本体内に画像形成部が搭載され、装置本体の筺体に吸気口と排気口とが設置されている画像形成装置において、
前記吸気口または前記排気口にファンを設置し、前記吸気口または前記排気口を覆うように空気流通開口を形成したカバー体を前記筺体に着脱可能に設け、前記カバー体に前記吸気口または前記排気口に対向させて空気フィルタ体を設置したことを特徴とする画像形成装置。
【請求項２】
複数の前記吸気口または前記排気口を前記カバー体により覆い、前記吸気口または前記排気口に対応して、それぞれ前記空気フィルタ体を設置したことを特徴とする請求項１記載の画像形成装置。
【請求項３】
前記カバー体の一部を、前記筺体に回動可能に支持したことを特徴とする請求項１または２記載の画像形成装置。
【請求項４】
前記カバー体の内壁部に前記空気フィルタ体を保持する保持部を設けたことを特徴とする請求項１〜３いずれか１項記載の画像形成装置。
【請求項５】
前記空気フィルタ体を、前記カバー体の前記空気流通開口に対する設置位置をずらせて保持可能にしたことを特徴とする請求項１〜４いずれか１項記載の画像形成装置。
【発明の詳細な説明】
【技術分野】
【０００１】
本発明は、複写機，ファクシミリ，プリンタなどの画像形成装置に係り、特に吸気／排気部分の構造に関するものである。
【背景技術】
【０００２】
画像形成装置の画像形成部として一般的に採用されている電子写真方式では、装置本体内の温度上昇を防止するためファンモータが設置され、さらに外部からの塵埃を装置本体内に入れないために空気フィルタが設置されている。
【０００３】
そして、画像形成装置におけるファンとフィルタとの設置構成として、特許文献１〜３に記載されているような各種の構成が提案され、実施されている。
【特許文献１】特開平５−１１３７０８号公報
【特許文献２】特開平８−９５４７４号公報
【特許文献３】特開２００２−３１８５１４号公報
【発明の開示】
【発明が解決しようとする課題】
【０００４】
しかし、従来において画像形成装置の空気フィルタは、一般的には装置本体の筺体の裏面に両面テープなどで固定されていた。そのため、フィルタが目詰まりしたときの交換が困難であるという課題があった。
【０００５】
本発明の目的は、従来技術の課題を解決し、フィルタの交換および取り扱いが容易かつ簡単な構成の画像形成装置を提供することにある。
【課題を解決するための手段】
【０００６】
前記目的を達成するため、請求項１に記載の発明は、装置本体内に画像形成部が搭載され、装置本体の筺体に吸気口と排気口とが設置されている画像形成装置において、前記吸気口または前記排気口にファンを設置し、前記吸気口または前記排気口を覆うように空気流通開口を形成したカバー体を前記筺体に着脱可能に設け、前記カバー体に前記吸気口または前記排気口に対向させて空気フィルタ体を設置したことを特徴とし、この構成によって、空気フィルタ体をファンとは独立した着脱可能なカバー体に設けたため、空気フィルタ体の目詰まり時の交換が容易になる。
【０００７】
請求項２に記載の発明は、請求項１記載の画像形成装置において、複数の吸気口または排気口をカバー体により覆い、前記吸気口または前記排気口に対応して、それぞれ空気フィルタ体を設置したことを特徴とし、この構成によって、ファンを複数設けている場合でも、１つのカバー体の操作で全てのフィルタ交換が可能になり、交換の作業性がよくなる。
【０００８】
請求項３に記載の発明は、請求項１または２記載の画像形成装置において、カバー体の一部を、筺体に回動可能に支持したことを特徴とし、この構成によって、カバー体を筺体から取り外して別の位置に置くことなく、空気フィルタ体の交換作業を行うことが可能になる。
【０００９】
請求項４に記載の発明は、請求項１〜３いずれか１項記載の画像形成装置において、カバー体の内壁部に空気フィルタ体を保持する保持部を設けたことを特徴とし、この構成によって、カバー体に空気フィルタ体が保持されるため、カバー体の開閉時における空気フィルタ体の取り扱いが容易になり、交換作業が簡単に行える。
【００１０】
請求項５に記載の発明は、請求項１〜４いずれか１項記載の画像形成装置において、空気フィルタ体を、カバー体の空気流通開口に対する設置位置をずらせて保持可能にしたことを特徴とし、この構成によって、フィルタを１回の使用で破棄することなく、設置位置をずらすことにより複数回使用することが可能になる。
【発明の効果】
【００１１】
本発明によれば、防塵フィルタ，オゾンフィルタなどの空気フィルタ体を、ファンとは独立した着脱可能なカバー体に設けたため、フィルタ体の目詰まり時における交換を容易かつ簡単に行うことができ、フィルタ交換作業が向上する。
【発明を実施するための最良の形態】
【００１２】
以下、本発明の実施の形態を図面に基づいて説明する。
【００１３】
図１は本発明の実施形態を説明するための画像形成装置の分解斜視図であり、画像形成装置の装置本体１内には電子写真式の画像形成部（図示せず）が内蔵され、装置本体１の筺体の外装カバー２には、本例では２つの吸気口３が設けられ、各吸気口３の内部に吸込ファン４が設置されている。
【００１４】
各吸気口３は、両側に横長形状の空気流通開口５が複数設けられているカバー体６により覆われるようになっている。カバー体６は、外装カバー２に対して簡単に取り外し、および取り付けができるように着脱可能に保持される。
【００１５】
カバー体６の空気流通開口５と吸気口３の吸込ファン４間のカバー体６内部に、それぞれ空気フィルタ体（防塵フィルタ）７を介在させ、外部から塵埃などが装置本体１内に入ることを防止している。
【００１６】
カバー体６の下辺（図１では右側辺）には、外装カバー２に設けられた第１の差込口８に嵌挿入される突出部９が一対突設され、また、カバー体６の上辺（図１では左側辺）には、外装カバー２に設けられた第２の差込口１０に嵌挿される側面視倒Ｕ状の爪付部材１１が設けられている。
【００１７】
図２は図１のＡ−Ａ部分を断面して本実施形態のカバー体の開放状態を示す断面図である。
【００１８】
爪付部材１１は可撓性かつ弾性を有する構造になっており、フィルタ交換時、爪付部材１１のＵ状部分の先端１１ａを弾発力に抗して下に押し下げ、かつ爪付部材１１を手前方向（図２では左方向）へ引くことにより、爪部１１ｂと第２の差込口１０の周部との嵌合が外れ、カバー体６によって覆われている吸気口３部分が開放される。この開放された状態でもカバー体６は、外装カバー２の第１の差込口８に突出部９が引っ掛かった状態で斜めになって保持される。
【００１９】
このため、カバー体６を外装カバー２から取り外して別の位置に置くことなく、空気フィルタ体７の取り外し，取り付けが行われるため、フィルタ体の交換作業が容易になる。
【００２０】
カバー体６の裏側（内側壁部）には、図１に示すように、空気フィルタ体７の外周形状に合致させた形状のリブ６ａを設けて、空気フィルタ体７が不用意に動かないようにしてある。
【００２１】
また、図３に示すように、カバー体６の裏側に突起形状部６ｂを設け、空気フィルタ体７における前記突起形状部６ｂに対応する位置に切込み部７ａを設け、カバー体６の突起形状部６ａに切込み部７ａを嵌着させることにより、空気フィルタ体７の保持を確実にすることができる。
【００２２】
また、図４に示す空気フィルタ体の変形例では、空気フィルタ体７の上側部と下側部に第１の切込み部７ａ−１と第２の切込み部７ａ−２とを設け、カバー体６の裏側に設けられている突起形状部６ｂに嵌着した状態において、第１の切込み部７ａ−１と第２の切込み部７ａ−２とでは、空気フィルタ体７におけるカバー体６の空気流通開口５に対する位置が上下方向でずれるようにしている。
【００２３】
このようにしたことにより、装置の長期稼動により、空気フィルタ体７におけるカバー体６の空気流通開口５に対向する部位に汚れ，塵埃などが付着しても、本例では、突起形状部６ｂに嵌着されている第１の切込み部７ａ−１を第２の切込み部７ａ−２に替えて嵌着することにより、空気フィルタ体７の汚れ，塵埃などが付着している部位Ｂがカバー体６の空気流通開口５からずれ、汚れ，塵埃などＢが付着していない部位Ｃを空気流通開口５に対向するように保持することができる。
【００２４】
したがって、一部のみが汚れている空気フィルタ体７を１回の使用で破棄することなく、設置位置をずらすことにより複数回使用することが可能になる。
【００２５】
なお、前記実施形態では吸気口３に関する構成例を説明したが、オゾンフィルタなどが設けられる排気口部分にも前記と同様なカバー体，フィルタの構成、およびそれらと他部材との関連構成を採用することができる。
【産業上の利用可能性】
【００２６】
本発明は、複写機，ファクシミリ，プリンタなどの画像形成装置における吸気／排気部分に適用され、特に容易かつ簡単なフィルタの交換および取り扱いが要求され画像形成装置に実施して有効である。
【図面の簡単な説明】
【００２７】
【図１】本発明の実施形態を説明するための画像形成装置の分解斜視図
【図２】図１のＡ−Ａ部分を断面して本実施形態のカバー体の開放状態を示す断面図
【図３】本実施形態に係る空気フィルタ体の保持構造を示す斜視図
【図４】本実施形態に係る空気フィルタ体の変形例を示す斜視図
【符号の説明】
【００２８】
１  装置本体
２  外装カバー
３  吸気口
４  吸込ファン
５  空気流通開口
６  カバー体
６ａ  リブ
６ｂ  突起形状部
７  空気フィルタ体
７ａ，７ａ−１，７ａ−２  切込み部
８，１０  差込口
９  突出部
１１  爪付部材
１１ａ  先端部
１１ｂ  爪部
【図１】
2006201345.tif 000003
【図２】
2006201345.tif 000004
【図３】
2006201345.tif 000005
【図４】
2006201345.tif 000006